(57)【要約】【課題】バンドにねじれやよれが生じることなく、端部の固定を簡単に行うことができ、また、バンドのほどきが容易であり、締め直し作業が簡単であるので、作業者の負担を軽減して、作業効率を向上することができるバンドストッパを提供する。【解決手段】  バンドの端部を固定するためにバンドの端部に配置されるバンドストッパであって、固定時のバンドの長さ方向に伸びる主縦部分と、主縦部分の長さ方向略中央位置において、一方側に延設される主横部分と、主縦部分の長さ方向で主横部分の両側に所定間隔をおいて設けられる前横部分及び後横部分とを有し、主横部分はその表面にエッジ部を備えると共に、主横部分と前横部分との間、及び、主横部分と後横部分との間にはバンドが側方より挿入可能な挿通部を備える。【選択図】図９
2017000073.tif 000002
【特許請求の範囲】
【請求項１】
バンドの端部を固定するためにバンドの端部に配置されるバンドストッパであって、
固定時のバンドの長さ方向に伸びる主縦部分と、
主縦部分の長さ方向略中央位置において、一方側に延設される主横部分と、
主縦部分の長さ方向で主横部分の両側に所定間隔をおいて設けられる前横部分及び後横部分とを有し、
主横部分はその表面にエッジ部を備えると共に、主横部分と前横部分との間、及び、主横部分と後横部分との間にはバンドが側方より挿入可能な挿通部を備える
ことを特徴とするバンドストッパ。
【発明の詳細な説明】
【技術分野】
【０００１】
本発明は、農業用ビニールハウスや荷物を縛る際等に用いる樹脂製、紙製、布製等のバンドを留めるためのバンド固定用器具に関するものである。
【背景技術】
【０００２】
従来、荷物を縛ったり、例えば農業用ビニールハウスのビニールシートを押させるための平板状のバンドを固定したりする際には、バンドの端部を手で縛ったりしてその端部を固定していた。
また、ビニールハウスのビニールシートを抑圧保持するバンドの端部を保持する保持具が知られていた（特許文献１）。
【先行技術文献】
【特許文献】
【０００３】
【特許文献１】特開平１１−３３２３９３号
【発明の概要】
【発明が解決しようとする課題】
【０００４】
しかしながら、荷物を縛ったりするためのバンドを手で縛って固定していると、徐々に緩みが生じて縛り直す必要があり、特に、農業用ビニールハウスのビニールシートを固定するためのバンド等は、夏場の気温の上昇によってバンドが伸びたり、また、風によってビニールシートがばたつくなどして、徐々にバンドが緩むために、年に数回の締め直しを必要としていた。また、バンドを縛って固定すると、縛ることにより平板状のバンドにねじれやよれが生じてバンドがロープ状になり、ビニールシートを抑える強度が低下して、ビニールの表面を傷付ける可能性があった。
そして、上記先行技術文献のバンド保持具においては、比較的長尺の支持アームを有しているので保持具自体が大型化しやすく、また、強度的にもアルミ等の金属材料により形成する必要があり、強風時に保持具がバンドから外れたときなどにアルミ材の保持具がはじけ飛ぶ可能性があり、危険であった。
【０００５】
本発明は、上記事情を鑑みたものであり、荷物を縛るバンド、特に、ビニールハウスのビニールを保持するような平板状のバンドの端部を簡単に保持することができ、バンドに緩みが生じても簡単に締め直すことができるバンドストッパを提供することを目的とするものである。
【課題を解決するための手段】
【０００６】
本発明は、バンドの端部を固定するためにバンドの端部に配置されるバンドストッパであって、固定時のバンドの長さ方向に伸びる主縦部分と、主縦部分の長さ方向略中央位置において、一方側に延設される主横部分と、主縦部分の長さ方向で主横部分の両側に所定間隔をおいて設けられる前横部分及び後横部分とを有し、主横部分はその表面にエッジ部を備えると共に、主横部分と前横部分との間、及び、主横部分と後横部分との間にはバンドが側方より挿入可能な挿通部を備えることを特徴とする。
【発明の効果】
【０００７】
本発明のバンドストッパによれば、バンドにねじれやよれが生じることなく、端部の固定を簡単に行うことができ、また、バンドのほどきが容易であり、締め直し作業が簡単であるので、作業者の負担を軽減して、作業効率を向上することができる。
【図面の簡単な説明】
【０００８】
【図１】本発明の実施形態に係るバンドストッパの使用状態を説明するための図であり、（ａ）は、バンドストッパを使用しているビニールハウスの外観図であり、（ｂ）は、ビニールハウスの断面図である。
【図２】本発明の実施形態に係るバンドストッパの平面図である。
【図３】（ａ）は、本発明の実施形態に係るバンドストッパの正面図、（ｂ）は、本発明の実施形態に係るバンドストッパの側面図である。
【図４】本発明の実施形態に係るバンドストッパの斜視図である。
【図５】本発明の実施形態に係るバンドストッパの他の斜視図である。
【図６】本発明の実施形態に係るバンドストッパによるバンド端部を固定する方法を説明するための図であり、バンドストッパにバンドを最初に通した状態を示す斜視図である。
【図７】本発明の実施形態に係るバンドストッパによるバンド端部を固定する方法を説明するための図であり、バンドストッパによって平ベルト端部を引っ張って緊張させている状態を示す斜視図である。
【図８】本発明の実施形態に係るバンドストッパによるバンド端部を固定する方法を説明するための図であり、バンドストッパによって平ベルト端部を固定した状態を示す斜視図である。
【図９】本発明の実施形態に係るバンドストッパによるバンド端部を固定する方法を説明するための図であり、バンドストッパによって平ベルト端部のばたつきが防止できるように固定した状態を示す斜視図である。
【発明を実施するための形態】
【０００９】
本発明のバンドストッパについて、図面を参考にして説明する。
−バンドストッパの構成−
本発明の実施形態に係るバンドストッパは、例えば図１に示すようなビニールハウスＡのビニールシートａを抑圧保持するための平バンドｂの端部を固定するために使用される。ビニールハウスＡは、その両端が地上に埋設固定された略半円状の複数本の支持棒ｃ,ｃ，・・の外周にビニールシートａが張設されてなり、支持棒ｃ，ｃ間においてビニールシートａの外周が平バンドｂにより抑圧されることで形成されている。ビニールハウスＡの両側下部には、ビニールシートａの側端部を押さえる横支持棒ｄ，ｄが設けられ、ビニールシートａを抑圧固定する平バンドｂは、図１（ｂ）に示すように、その一端が一方側の横支持棒ｄ１に固定され、ビニールシートａの外周を抑えるように掛け渡ししたのち、他端が他方側の横支持棒ｄ２に掛け回され、本実施形態のバンドストッパ１により固定保持されている。
【００１０】
バンドストッパ１は、例えばポリプロピレン樹脂等の樹脂材料からなり、図２乃至５に示すように、全体として矩形の平板状をしており、固定保持する平バンドｂの長手に沿って長尺に形成される主縦部分１１と、主縦部分１１の前後方向中央の一方側から延設される主横部分１２と、主縦部分１１の前後方向前方の一方側から延設される前横部分１３と、主縦部分１１の前後方向後方の一方側から延設される後横部分１４と、前横部分１３の一方側端に連続して前方へ延び、さらに他方側へ屈曲して延設される前端横部分１５と、主縦部分１１の一方側の後横部分１４のさらに後方位置から延設される後端横部分１６を有している。
バンドストッパ１の各部分の角部は曲面により面取りがなされるとともに、主縦部分１１の他方側の側面を波状等にすることで凹凸部１１ａが形成されており、使用者がバンドストッパ１を握るときにバンドストッパ１の角部により怪我をすることを防止するとともに、凹凸部１１ａに指を掛けることより、滑り難くしている。
なお、バンドストッパ１の説明において、図３（ａ）に示すように、バンドストッパ１の平坦な面を裏面、その反対を表面といい、図２に示すように、表面を上にして主縦部分１１が形成されている側を他方側、その反対を一方側という。さらに、表面を上にして前端横部分１５が形成される側を前方側、その反対を後方側という。
【００１１】
主横部分１２は、主縦部分１１の一方側より延びる本体部１２１と、本体部１２１の一方側端に立設される中央壁１２２と、本体部１２１の上面前後端に形成される前方エッジ壁１２３及び後方エッジ壁１２４とから構成されている。
中央壁１２２は、その前後方向の幅が主横部分１２の本体部１２１の前後方向の幅より大きく形成されるとともに、その上方前後角部が曲線状に面取りされている。また、本体部１２１の上面に形成される前方エッジ壁１２３及び後方エッジ壁１２４は、その上面が外側が高く内側が低い傾斜面、すなわち、前方エッジ壁１２３においては前方が高く後方に行くにしたがって低くなる傾斜面、後方エッジ壁１２４においては後方が高く前方に行くにしたがって低くなる傾斜面に形成されている。
【００１２】
前横部分１３は、主横部分１２の前端位置より所定間隔をおいて前方に設けられており、主横部分１２の一方端よりも一方側に長く形成されている。
そして、主横部分１２と前横部分１３との所定の間隙により、平バンドｂを通すために一方側が開口した第１挿通部２１が形成されており、第１挿通部２１の開口は、主横部分１２の中央壁１２２の前端と前横部分１３とにより幅狭に形成され、第１挿通部２１に挿通させた平バンドｂが第１挿通部２１から容易に外れないように構成されている。
【００１３】
前横部分１３の一方側端は前方に屈曲し、さらに他方側に屈曲して前横部分１３の前端位置と所定間隔をおいて前端横部分１５が延設されている。前端横部分１５は、前方が平バンドｂの長手方向と直角な辺をなし、後方が一方側に行くにしたがって後方に傾斜する辺をなしている。そして、前横部分１３の前方の辺と前端横部分１５の後方の辺とによって、他方側が開口し、一方側に行くにしたがって前後幅が小さくなる前方挿通部２３が形成されており、挿通された平バンドｂを挟み込んで保持することができる。
主縦部分１１の前方端は、前横部分１３の前端位置よりも突出して凸状部１１ｂが形成され、前方挿通部２３の他方側の開口が幅狭に形成されている。
【００１４】
後横部分１４は、主横部分１２の後端位置より所定間隔をおいて後方に設けられており、主横部分１２の一方端よりも一方側に長く形成されている。
そして、主横部分１２と後横部分１４との所定の間隙により、平バンドｂを通すために一方側が開口した第２挿通部２２が形成されており、第２挿通部２２の開口は、主横部分１２の中央壁１２２の後端と後横部分１４とにより幅狭に形成され、第２挿通部２２に挿通された平バンドｂが第２挿通部２２から容易に外れないように構成されている。
【００１５】
後端横部分１６は、後横部分１４の後端位置より所定間隔をおいて後方に設けられており、主縦部分１１から一方側に延設され、その一方側端が主横部分１２の本体部１２１の一方側端部の位置と略同位置となるように形成されている。後端横部分１６は、後方が平バンドｂの長手方向と直角な辺をなし、前方が他方側に行くにしたがって前方に傾斜する辺をなしている。そして、後横部分１４の後方の辺と後端横部分１６の前方の辺とによって、一方側が開口し、他方側に行くにしたがって前後幅が小さくなる後方挿通部２４が形成されており、挿通された平バンドｂを挟み込んで保持することができる。
後横部分１４の後方の辺には、後端横部分１６よりも一方側の部位が後方に突出して凸状部１４ａが形成されており、後方挿通部２４の一方側の開口が幅狭に形成されている。
【００１６】
本実施形態に係るバンドストッパ１においては、平バンドｂがバンドストッパ１の各挿通部から外れることを防止するために、バンドストッパ１の表面の前後２箇所に外れ止め壁部３１，３２が形成されている。
前方外れ止め壁部３１は、主縦部分１１の前方側上面に設けられており、その前端が前横部分１３の前方の辺より後方に、その後端が前横部分１３の後方の辺よりも前方に位置するとともに、一方側端が第１挿通部２１及び第２挿通部２２の他方側端と略同じ若しくは若干他方側に位置するように配置されている。
後方外れ止め壁部３２は、後横部分１４の一方側上面に設けられており、その他方側端が主横部分１２の中央壁１２２の他方側面と略同じ、もしくは若干一方側に位置するよう配置されている。
前方外れ止め壁部３１及び後方外れ止め壁部３２の上面は、図３（ａ）に示すように、それぞれ前後方向外方に行くに従って下方に曲面状に傾斜するように形成されており、バンドストッパ１により平バンドｂを固定するときに前方外れ止め壁部３１及び後方外れ止め壁部３２の外方角部に引っかかることを防止している。
【００１７】
−バンドストッパによるバンド端部の保持−
上記構成を備えるバンドストッパ１によって、ビニールハウスＡのビニールシートａを抑圧保持する平バンドｂの端部を固定する方法を、図６乃至９を参照しながら説明する。
ビニールハウスＡのビニールシートａを固定するための平バンドｂとしては、例えば長さ方向に３本のリブ部を有し、幅１０〜５０ｍｍ程度の平バンドが用いられる。
【００１８】
（１）ビニールハウスＡの一側の横支持棒ｄ１に一端が固定された平バンドｂは、ビニールシートａの外周を抑えるように掛け渡された後、その他端がバンドストッパ１に保持される。
まず、平バンドｂの先端付近をバンドストッパ１の第１挿通部２１に対して一方側の開口より裏面から表面に抜けるように挿通させ、主横部分１２の表面側を掛け回した後に第２挿通部２２に対して表面から裏面に抜けるように挿通させる。主横部分１２の一方側に中央壁１２２が形成されているので、第１挿通部２１及び第２挿通部２２を通って掛け回された平バンドｂは主横部分１２の中央壁１２２の他方側面によって一方側への移動が阻止されて、第１挿通部２１及び第２挿通部２２から外れることが防止されている（図６）。
【００１９】
（２）バンドストッパ１の第２挿通部２２の表面側より挿通され裏面側より引き出された平バンドｂの端部を、ビニールハウスＡを構成する他方の横支持棒ｄ２に対して掛け回し、平バンドｂが挿通されている第２挿通部２２に対してバンドストッパ１の裏面側から挿通して表面側より引き出す（図７）。この状態において、平バンドｂの端部を矢印Ｘに示すように引っ張ることにより、平バンドｂは第１挿通部２１及び第２挿通部２２内でスライドし両横支持棒ｄ１，ｄ２間の平バンドｂが緊張することでビニールシートａを押さえ付けることができる。
【００２０】
（３）第２挿通部２２の上方より引き出されて引っ張られた平バンドｂの先端部分を、第１挿通部２１に対して、その一方側に開放する開口より挿入することでバンドストッパ１の裏面と先に挿入された平バンドｂとの間に配置し、その後、前方挿通部２３に対して他方側の開口より挿入して表面側に突出させる（図８）。このように、横支持棒ｄ２により折り返された平バンドｂの先端部分は、先にバンドストッパ１の第１挿通部２１と第２挿通部２２とに挿通された部分と重なるようにバンドストッパ１に保持されることとなり、平バンドｂに対して生じる引っ張り力によって主横部分１２に形成された前方エッジ壁１２３及び後方エッジ壁１２４が平バンドｂの裏面より噛み合うことで、平バンドｂの緩みを防止して、バンドストッパ１による平バンドｂの緊張を維持することができる。
【００２１】
（４）その後、前方挿通部２３の上方より突出する平バンドｂの先端部分を後方挿通部２４に対して上方から下方に挿通することによって、平バンドｂの先端部分の納まりを良好にして、平バンドｂのばたつきが防止できる（図９）。また、平バンドｂの先端部分が後方挿通部２４に挿通されることにより、平バンドｂが前方外れ止め壁部３１により平バンドｂの他方側への移動が阻止されて前方挿通部２３から抜け出ることが防止され、後方外れ止め壁部３２により後方挿通部２４から一方側へ抜け出ることが防止されるので、平バンドｂ端部の良好な支持固定を行うことができる。
【００２２】
−本実施形態のバンドストッパによる作用効果−
以上のように、バンドストッパ１によって平バンドｂを固定するための第１挿通部２１及び第２挿通部２２に対する平バンドｂの挿通は、一方側の開口を介して行うことができるので、緩んだ平バンドｂを緊張させる場合には、前方挿通部２３の他方側の開口より平バンドｂを外すと共に、第１挿通部２１の一方側の開口より平バンドｂの端部を外すことで、平バンドｂを引っ張って緊張させることができ、平バンドｂを緊張させた後には再び開口より平バンドｂを第１挿通部２１及び前方挿通部２３に挿通させればよく、平バンドｂの締めほどき作業が簡単でありバンド表面を傷めることもなく、また、穴等にバンドを通す必要もないので、例えば軍手等を嵌めた状態であっても比較的簡単に行うことができる。
【００２３】
そして、本実施形態のバンドストッパ１は、平バンドｂの各挿通部の開口部分を幅狭に形成することで、平バンドｂの抜け止めを抑制し、さらに、第１挿通部２１及び第２挿通部２２の開口近傍に主横部分１２の中央壁１２２が設けられ、前方挿通部２３の開口近傍には前方外れ止め壁部３１が設けられ、後方挿通部２４の開口近傍には後方外れ止め壁部３２が設けられているので、平バンドｂの挿通を開口によって簡単にしながら、平バンドｂが各挿通部から抜けることを確実に防止して安定した平バンドｂの支持固定を可能としている。
【００２４】
なお、上記説明においては、主縦部分１１を他方側（右側）にした状態で平バンドを固定する方法を説明したが、主縦部分１１を一方側（左側）にした状態であっても、ハウスバンドを同じように固定できることは明らかであり、右利き、左利き等使用者の利き腕に対応することができ、また、樹脂によって一体形成することができるので、製造も容易であり、平バンドの幅に合わせて製造することができ、軽量かつ見栄えもよい。
また、本実施形態においては、中央壁は、その前後方向の幅が主横部分の本体部の前後方向の幅より大きく形成され、バンドが抜けることを防止しているが、必ずしも主横部分の幅よりも大きく形成する必要はなく、バンドストッパを構成する各部材の角部を曲線状に形成してハウスバンドの想定外の引っかかり等を防止しているが、バンドストッパ１の角部は必ずしも曲線状にする必要は無い。
さらに、本実施例においては、ビニールハウスの平バンド端部を固定するためのバンドストッパを例示しているが、本発明のバンドストッパは、ビニールハウスのビニールの固定に用いられる平バンドの固定のみではなく、様々な状況におけるバンド端部の固定に用いることができる。
【符号の説明】
【００２５】
１      ：バンドストッパ
１１    ：主縦部分
１１ａ  ：凹凸部
１１ｂ  ：凸状部
１２    ：主横部分
１２１  ：本体部
１２２  ：中央壁
１２３  ：前方エッジ壁
１２４  ：後方エッジ壁
１３    ：前横部分
１４    ：後横部分
１４ａ  ：凸状部
１５    ：前端横部分
１６    ：後端横部分
２１    ：第１挿通部
２２    ：第２挿通部
２３    ：前方挿通部
２４    ：後方挿通部
３１    ：前方外れ止め壁部
３２    ：後方外れ止め壁部
Ａ      ：ビニールハウス
ａ      ：ビニールシート
ｂ      ：平バンド
ｃ      ：支持棒
ｄ      ：横支持棒
ｄ１    ：横支持棒
ｄ２    ：横支持棒
【図１】
2017000073.tif 000003
【図２】
2017000073.tif 000004
【図３】
2017000073.tif 000005
【図４】
2017000073.tif 000006
【図５】
2017000073.tif 000007
【図６】
2017000073.tif 000008
【図７】
2017000073.tif 000009
【図８】
2017000073.tif 000010
【図９】
2017000073.tif 000011
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
バンドの端部を固定するためにバンドの端部に配置されるバンドストッパであって、
固定時のバンドの長さ方向を前後方向としたときに前後方向に延びる主縦部分と、
主縦部分の前後方向略中央位置において、一方側から延設される主横部分と、
主縦部分の主横部分の前方側と後方側に所定間隔をおいて一方側から延設される前横部分及び後横部分を有し、
主横部分はその表面にエッジ壁を備えると共に、主横部分と前横部分との間、及び、主横部分と後横部分との間にはバンドが一方側より挿入可能な挿通部を備え、
前横部分の前方に他方側が開口しバンドが他方側より挿通可能な挿通部が形成されている
ことを特徴とするバンドストッパ。
【手続補正２】
【補正対象書類名】明細書
【補正対象項目名】０００６
【補正方法】変更
【補正の内容】
【０００６】
本発明は、バンドの端部を固定するためにバンドの端部に配置されるバンドストッパであって、固定時のバンドの長さ方向を前後方向としたときに前後方向に延びる主縦部分と、主縦部分の前後方向略中央位置において、一方側から延設される主横部分と、主縦部分の主横部分の前方側と後方側に所定間隔をおいて一方側から延設される前横部分及び後横部分を有し、主横部分はその表面にエッジ壁を備えると共に、主横部分と前横部分との間、及び、主横部分と後横部分との間にはバンドが一方側より挿入可能な挿通部を備え、前横部分の前方に他方側が開口しバンドが他方側より挿通可能な挿通部が形成されていることを特徴とする。